(57)【特許請求の範囲】
【請求項１】
内表面に粘着層を有する凹部状の内層部と、該内層部の外側に対向するように配置した表層部とにより形成したカップ一対を連結部材で連結したブラジャーであって、
前記内層部と前記表層部との間に空気収納部を設けると共に該空気収納部に給排気口が組付けられて容積が変更可能であり、
前記粘着層は、前記内層部の基材上に粘着剤を所定間隔で帯状に塗布することにより形成されていることを特徴とするブラジャー。
【請求項２】
前記粘着剤が、シリコン、ゴム、エポキシ樹脂及びビニール樹脂から選択されたものであることを特徴する請求項１に記載のブラジャー。
【発明の詳細な説明】
【技術分野】
【０００１】
本発明は、ユーザのバストに直接に貼り付ける貼着タイプのブラジャーに関する。より詳細には、軽量化及び多機能化を図った貼着タイプのブラジャーに関する。
【背景技術】
【０００２】
バストに装着されるブラジャーの形態が近年、大きく変化している。従来にあっては単なる下着であったブラジャーが、ファッション性やバストアップ並びにいわゆる胸の谷間を魅力的に見せるという観点から改良されている。例えば、女性がバスト上部を露出するタイプの洋服を着用するのに伴って肩紐の無い（ストラップレスブラジャーと称される）タイプのブラジャーが提供されるようになっている。このストラップレスブラジャーは、肩に掛かるストラップが無いので着用する洋服の自由度が増すという点で一般的なブラジャーよりも優れている。しかし、ストラップレスブラジャーにはバストの形状を整えたり、ボリュームアップさせたりする機能を備えていない。そこで、ストラップレスブラジャーを使用する場合には、従来の一般的なブラジャーと同様にパッド等を用いてバストの形状を補正する必要があった。
【０００３】
ところが、最近において、例えば特許文献１で開示するようなシリコン等の粘着性を備えた素材（以下、粘着素材という）を内表面層に設けてバストに直接に貼り付けるタイプのブラジャー（貼着タイプのブラジャーと称する）が提供されるようになっている。この貼着タイプのブラジャーはストラップレスブラジャーと同様にストラップが無いことによるメリットを備え、さらに粘着素材によりバストのボリュームアップ或いはバストの形状補正を図れるというメリットも備えているため大きな市場を形成するようになっている。
【０００４】
【特許文献１】実用新案登録第３０９５３４９号公報
【発明の開示】
【発明が解決しようとする課題】
【０００５】
しかしながら、特許文献１で開示する貼着タイプのブラジャーは、質量のある粘着素材を用いているので従来の布地を用いたブラジャーと比較して重くなる。そのため貼着タイプのブラジャーをユーザが長時間使用すると、首が疲れる或いは肩が凝るといった症状が現れる場合があった。また、この貼着タイプのブラジャーはカップ状に形成した粘着素材をバストに貼り付けた状態で使用する。よって、蒸れ易く不快と感じる場合があると共に、汗が出るような状況で長時間使用すると粘着力が低下するという問題が発生する場合があった。
【０００６】
なお、貼着タイプのブラジャーに関して重いという不具合を解消すべく、軽量タイプの貼着タイプのブラジャーが提案されている。しかし、この軽量タイプのブラジャーは貼着タイプのブラジャーのメリットである前述したバストのボリュームアップ及び形状補正の効果が減殺されるという問題がある。
【０００７】
そこで、本発明は前述した従来の課題を解決して、軽量でありながらボリュームアップ及び形状補正の機能を備える貼着タイプのブラジャーを提供することを目的とする。
【課題を解決するための手段】
【０００８】
上記目的は、内表面に粘着層を有する凹部状の内層部と、該内層部の外側に対向するように配置した表層部とにより形成したカップ一対を連結部材で連結したブラジャーであって、前記内層部と前記表層部との間に空気収納部を設けると共に該空気収納部に給排気口が組付けられて容積が変更可能であり、前記粘着層は、前記内層部の基材上に粘着剤を所定間隔で帯状に塗布することにより形成されているブラジャーによって達成される。
【０００９】
本発明によると、前記内層部と前記表層部との間に空気収納部を備えるので、空気収納部に適宜の空気を注入することでカップの容積を変更できる。よって、空気収納部を適宜に膨らませることにより、バストのボリュームアップや形状補正を簡単に行なえる。しかも、従来の粘着タイプのブラジャーよりも粘着層で使用するシリコン等の粘着剤の使用を低減できるので軽量化を図り、使用する材料を減少させてコスト低減を図ることもできる。
【００１０】
そして、前記空気収納部は前記内層部の周部と前記表層部の周部とを接続することにより形成することができる。また、前記空気収納部は空気の給排気口を備えた構造とすれば簡単に空気の注入や排出を行なえる。
【００１１】
また、前記粘着層は、前記内層部の基材上に粘着剤を所定間隔で帯状に塗布することにより形成することができる。また、前記内層部の基材は、熱可塑性薄膜材、不織布、布地、発泡材及びゴム材から選択して使用できる。さらに、前記粘着剤は例えばシリコン、ゴム、エポキシ樹脂及びビニール樹脂等から選択して使用できる。なお、シリコン等を必要により有機溶剤等で溶解してから使用するようにしてもよい。また、前記表層部が伸縮性を備えた素材により形成されていることが望ましい。
【発明の効果】
【００１２】
本発明によると軽量であり、ボリュームアップ及び形状補正を簡単に行なえる貼着タイプのブラジャーを提供できる。
【発明を実施するための最良の形態】
【００１３】
以下、図面を参照して本発明の一実施形態に係る実施例のブラジャーについて説明する。図１はブラジャーの右側のカップ１Ｒを分解して示す斜視図である。左右のカップは同一の構造となるので、右側のカップ１Ｒについて説明する。なお、左側のカップ１Ｌは、図示している右側のカップ１Ｒと線対称な構造となる。また、左右のカップを区別するため右側にはＲ、左側にはＬの符号を付して説明する。図示した右のカップ１Ｒは、ユーザのバストに装着される（貼付けられる）内層部１０Ｒと、この内層部１０Ｒとほぼ同形状に形成した表層部２０Ｒとにより形成されている。
【００１４】
内層部１０Ｒはユーザのバストに対応した凹部状に形成されている。この内層部１０Ｒの内表面（ユーザのバストと接触する側の面）は粘着層１１Ｒとなっている。この粘着層１１Ｒは、内層部１０Ｒの基材１２Ｒ上に粘着剤を所定間隔で帯状に塗布して形成することができる。粘着剤が塗布された部分が粘着部ＡＤとなる。粘着剤が塗布されない非粘着部ＮＡは内層部１０Ｒの基材１２Ｒとなる。図１で図示するように、粘着部ＡＤと非粘着部ＮＡとが交互に配置された形態となる。このように内表面に粘着層１１Ｒを備えることにより、このカップ１Ｒはユーザのバストに容易に装着することができる。
【００１５】
内層部１０Ｒの基材１２Ｒとしては、例えば熱可塑性薄膜材、不織布、布地、発泡材及びゴム材等から選択して使用できる。また、粘着部ＡＤを形成するための接着剤としては、シリコン、ゴム、エポキシ樹脂及びビニール樹脂から選択して使用できる。必要によりシリコン等を有機溶剤等で適宜に溶解してから基材１２Ｒに塗布してもよい。
【００１６】
表層部２０Ｒは、内層部１０Ｒの外側（表側）に対向するように配置される。この表層部２０Ｒは内層部１０Ｒとほぼ同じ形状の凹部状に形成されている。表層部２０Ｒは例えばゴム、ボリウレタン、シリコン、エポキシ樹脂加工物、ビニール樹脂等の伸縮性を備えた素材により形成されている。内層部１０Ｒと表層部２０Ｒとは周部を接着することにより一体化される。表層部２０Ｒの周部２１Ｒが接着領域となって内層部１０Ｒと接着される。作図の関係で内層部１０Ｒ側は図示しないが内層部１０Ｒ側も周部に同様の接着領域を有している。内層部１０Ｒと表層部２０Ｒとを接着する方法には特に限定はない。例えば内層部１０Ｒの周部と表層部２０Ｒの周部との接続を接着剤を用いて行うことができる。
【００１７】
図２は、図１における内層部１０ＲのＡ−Ａ矢視断面を示す図である。図２で示すように内層部１０Ｒの内表面となる粘着層１１Ｒは帯状に形成した貼着部ＡＤと非貼着部ＮＡとが交互に配列された形態となる。よって、従来の貼着タイプのブラジャーが全面でバストに接触していたのと比較すると、バストと粘着層１１Ｒとの間に帯状の空間が所定間隔で形成される。本実施例のように粘着層１１Ｒの表面に帯状の非貼着部ＮＡを形成すると端部が開放した状態となるので、空気の流通により発汗を抑制できる。よって、ユーザはこのカップ１Ｒを長時間快適に装着できる。
【００１８】
なお、粘着層１１の表面に形成した貼着部ＡＤと非貼着部ＮＡは、図１で示すように傾斜している。この傾斜はバストを押し上げると共に左右のバストを寄せるように設計されている。図１で示すカップ１Ｒは右のバストに装着されるもので、貼着部ＡＤ及び非貼着部ＮＡの幅方向Ｄが左上向きに設定されている。左のバストに装着されるカップ１Ｌの場合には、これとは対称に波型の向きが右上向きに設定される。このように設定すると左右のバストを中央に寄せながら持ち上げる効果を期待できる。すなわち、粘着層１１の表面形状を上記のように設定することによりバスト形状を補正できる。
【００１９】
図３は、内層部１０Ｒと表層部２０Ｒとを接続した完成状態の右カップ１Ｒを示した斜視図である。前述したように内層部１０Ｒと表層部２０Ｒとの周部を接続しているので、内層部１０と表層部２０との間には空気収納部としての空間ＳＰが形成されている。なお、内層部１０と表層部２０との周部を接続するとき、空気の給排気口３Ｒが組付けられている。また、内層部１０や表層部２０で採用する素材は、必要により気密性を担保するための表面処理が施される。よって、空気の給排気口３Ｒを介して空間ＳＰ内に空気を注入することで、カップ１Ｒの容積を変更できる。表層部２０Ｒは伸縮性を備えた素材で形成されているので、カップ１Ｒは容積変更に柔軟に対応できる。
【００２０】
また、空間ＳＰ内に注入した空気は給排気口３Ｒから排出させることができる。よって、空間ＳＰの大きさ、すなわちカップ１のボリュームはユーザが任意に調整できる。また、不使用時等にあってはカップ１Ｒの空間ＳＰ内から空気を除いておけば最も薄い形態とすることができる。よって、収納や保管のためのスペースを小さくできる。
【００２１】
図４は、左右のカップ１Ｒ，１Ｌを連結部材２で連結した完成状態のブラジャーＢＲを示した図である。この連結部材２は左右のカップ１Ｒ，１Ｌのそれぞれに対して着脱自在に設定しておくことが好ましい。このようにしておくとユーザが左右のカップ１Ｒ、１Ｌを左右バストの所定位置に順に装着してから、連結部材２でカップ１Ｒ、１Ｌを接続することができる。また、カップ１Ｒ，１Ｌの間隔も変更できるように連結部材２を形成しておくことがより好ましい。
【００２２】
空気給排気口３Ｒ，３Ｌから内部空間ＳＰに空気を注入する時期は、ユーザが任意に選択してよい。例えば、ユーザがカップ１Ｒ，１Ｌをバストに装着した後に、空気中注入器４を用いて空間ＳＰ内に空気を注入する。このようにするとユーザが自分の目で確認しながら左右バストの大きさやバランスを容易に調整できる。
【００２３】
図５は、実施例のブラジャーＢＲをユーザのバストＢＳに装着した状態を模式的に示した図である。このブラジャーＢＲは左右のカップ１Ｒ、１Ｌそれぞれが空気を注入して容積を変更できる空間ＳＰを備えているので垂れぎみのバスト等であっても図示のように上方に持ち上げて形を整えることができる。
【００２４】
なお、内層部１０と表層部２０との間に形成する空間ＳＰは任意に、容積や配置位置を変更してもよい。例えば、空間ＳＰが内層部１０と表層部２０との間に均一に存在するように配置してもよいし、空間ＳＰが下部側（アンダーバスト側）に偏在するように配置してもよい。空間ＳＰを均一に位置した場合にはバストの形状が全体に美しく見えるように補正できる。また、空間ＳＰを下部側に偏在するように配置した場合にはバストを持ち上げて垂れぎみのバストをアップさせて美しく見えるように補正できる。
【００２５】
以上説明したブラジャーＢＲは、内表面に粘着層を有しているので従来の粘着タイプのブラジャーと同様に使用できる。そして、次のような従来のブラジャーにはない効果を得ることができる。各カップ１が内層部１０と表層部２０との間に空気収納部（空間ＳＰ）を備えている。この空間ＳＰ内に空気を注入することによりブラジャーの容積を増加させることができるので、簡単にバストのボリュームや形状補正を行なえる。また、ブラジャーＢＲは左右のカップ１Ｒ，１Ｌのそれぞれに空気を注入して任意の大きさに調整できる。よって、左右のバストの大きさが異なる場合でも簡単にバランスの整ったバストに補正できる。
【００２６】
また、ブラジャーＢＲは上記のように空気を注入して膨らませる構造を採用するので、従来の粘着タイプのブラジャーと比較して実質的な容積を小さくできる。また粘着層１１はシリコン等の粘着剤を帯状に塗布しているので、使用する粘着剤を低減できる。よって、ブラジャーＢＲは重量を軽減できると共に作製コストの低減を図ることもできる。さらに、ブラジャーＢＲは収納スペースを小さくできる。
【００２７】
また、ブラジャーＢＲは重量が軽減されるので、従来の粘着タイプのブラジャーのようにバストに全面接触させなくても装着状態を維持できる。そこで、上記のように粘着層１１の貼着部ＡＤのみでバストに粘着するようにして接触面積を減少させることができる。これにより粘着層上に非貼着部ＡＤによる空間を形成して発汗を抑制できる。その結果、ユーザはブラジャーＢＲを違和感なく長期間使用できる。また、粘着層１１の粘着力が汗により低下することも抑制できる。
【００２８】
以上本発明の好ましい一実施形態について詳述したが、本発明は係る特定の実施形態に限定されるものではなく、特許請求の範囲に記載された本発明の要旨の範囲内において、種々の変形・変更が可能である。
【図面の簡単な説明】
【００２９】
【図１】実施例のブラジャーの右カップを分解して示す斜視図である。
【図２】図１における内層部のＡ−Ａ矢視断面を示す図である。
【図３】内層部と表層部とを接続した完成状態の右カップを示した斜視図である。
【図４】左右のカップを連結部材で連結した完成状態のブラジャーを示した図である。
【図５】ブラジャーをユーザのバストに装着した状態を模式的に示した図である。
【符号の説明】
【００３０】
１（１Ｒ，１Ｌ）            カップ
２                          連結部材
３（３Ｒ，３Ｌ）            空気の給排気口
１０（１０Ｒ、１０Ｌ）      内層部
１１（１１Ｒ、１１Ｌ）      粘着層
１２                        基材
２０（２０Ｒ、２０Ｌ）      表層部
ＢＲ                        ブラジャー
ＳＰ                        空間（空気収納部）
ＡＤ                        粘着部
ＮＡ                        非粘着部
【要約】
【課題】  軽量でありながらボリュームアップ及び形状補正の機能を備える貼着タイプのブラジャーを提供する。
【解決手段】  内表面に粘着層１１を有する凹部状の内層部１０Ｒ，１０Ｌと、該内層部の外側に対向するように配置した表層部２０Ｒ，２０Ｌとにより形成したカップ一対を連結部材２で連結したブラジャーＢＲであって、前記内層部１０と前記表層部２０との間に空気収納部を設けた。本ブラジャーＢＲによると、前記内層部と前記表層部との間に空気収納部を備えるので、空気収納部に適宜の空気を注入することでカップの容積を変更できる。よって、空気収納部を適宜に膨らませることによりバストのボリュームアップや形状補正を簡単に行なえる。
【選択図】    図４
【図１】
0003688701.tif 000002
【図２】
0003688701.tif 000003
【図３】
0003688701.tif 000004
【図４】
0003688701.tif 000005
【図５】
0003688701.tif 000006